(57)【要約】【課題】駐車場用収納庫を駐車場の奥側の地上に設置する場合に、自動車の大きさに対応できるようにして駐車場の余剰スペースを有効活用できるようにする。【解決手段】駐車場用収納庫１は、底板２と、背板３と、左側板４及び右側板５と、上カバー６とを備えている。底板２、背板３及び上カバー６は、左右方向に伸縮可能に構成されている。【選択図】図１
2020066969.tif 000002
【特許請求の範囲】
【請求項１】
駐車場の奥側の地上に設置される駐車場用収納庫において、
底板と、
前記底板の奥側に配設される背板と、
前記底板の左右両側に配設される左側板及び右側板と、
前記左側板の上部から前記右側板の上部に亘って配設される上カバーとを備え、
前記底板、前記背板及び前記上カバーは、左右方向に伸縮可能に構成されていることを特徴とする駐車場用収納庫。
【請求項２】
請求項１に記載の駐車場用収納庫において、
前記左側板、前記右側板及び前記背板は、上下方向に伸縮可能に構成されていることを特徴とする駐車場用収納庫。
【請求項３】
請求項２に記載の駐車場用収納庫において、
前記左側板及び前記右側板は、それぞれ、前記底板に固定される下側板材と、該下側板材に対して上下方向にスライド可能に連結された上側板材とを備え、
前記上側板材における手前側には、前記左側板と前記右側板との間を開閉するシャッターが設けられていることを特徴とする駐車場用収納庫。
【請求項４】
請求項３に記載の駐車場用収納庫において、
前記左側板の前記上側板材から前記右側板の前記上側板材まで延び、前記左側板の前記上側板材と前記右側板の前記上側板材とを連結する連結部材を備えていることを特徴とする駐車場用収納庫。
【請求項５】
請求項４に記載の駐車場用収納庫において、
前記連結部材は水平方向に延びており、
前記連結部材には棚板が支持されることを特徴とする駐車場用収納庫。
【発明の詳細な説明】
【技術分野】
【０００１】
本発明は、駐車場に設置される収納庫に関し、特に大きさを変化させることができる構造の技術分野に属する。
【背景技術】
【０００２】
従来より、駐車場に物品の収納するための設備を導入することが行われており、これにより、スペースの有効活用、駐車場使用者の利便性の向上、更には賃貸駐車場の付加価値向上等を図っている。
【０００３】
例えば、特許文献１には、駐車場の車止めよりも奥の地中に埋め込まれる地中埋め込み型タイヤ収納ボックスが開示されている。このタイヤ収納ボックスは、ボックス本体と蓋体とを備えており、この蓋体を取り外すことによってボックス本体を開放状態にし、タイヤの収納や取り出し作業が行えるように構成されている。
【０００４】
また、特許文献２には、駐車場の奥に設置される昇降式収納棚が開示されている。この収納棚は、支柱と、支柱に沿って昇降する棚と、棚を昇降駆動するウインチとを備えており、駐車場に駐車される自動車の高さに応じて棚の高さを変化させることができるように構成されている。
【先行技術文献】
【特許文献】
【０００５】
【特許文献１】特開２００７−３０２３０２号公報
【特許文献２】特開２００２−２１３０９５号公報
【発明の概要】
【発明が解決しようとする課題】
【０００６】
ところで、特許文献１のタイヤ収納ボックスの場合、地下に埋め込むものであることから、駐車場に駐車する自動車の大きさに制限を与えないという利点があるものの、収容量を多くしようとすると、地中を深く掘らなければならないので設置作業が大掛かりになり、その結果、設置に要するコストが増大する。また、使用者は地下にあるタイヤを持ち上げるようにして取り出さなければならず、特に取出作業時の負担が大きなものになる。
【０００７】
特許文献２の昇降式収納棚の場合、駐車場に駐車する自動車の高さに応じて収納棚の高さを変更できるので、駐車場に駐車する自動車の自由度を高めることができる。しかしながら、物品を置く棚であることから、駐車場に屋根があることが前提となっており、屋根が無い駐車場では棚に置いた物品が雨ざらしになってしまうとともに、盗難やいたずらのおそれがある。
【０００８】
そこで、収納庫を駐車場の地上に設置することが考えられる。こうすれば、地下から物品を持ち上げずに済むとともに、物品が雨ざらしにならないようにすることができる。特に、賃貸駐車場は、普通車でも軽自動車でも駐車可能なように、スペースが大きめに確保されているケースがあり、このような駐車場に例えば軽自動車を駐車した場合には、奥側に余剰スペースが生まれることになるので、駐車場の奥側に収納庫を設置すれば、余剰スペースを有効利用することが可能になる。
【０００９】
ところが、普通車であっても車種毎に全長や全幅が異なるとともに、車体後部の形状もセダンやハッチバック、ワゴン等、様々であり、このため、駐車場に駐車する自動車によって余剰スペースの広さは変わることになる。また、大きめの自動車を駐車しても収納庫が邪魔にならないようにする必要があることから、収納庫を設置するとしても小さめの収納庫を選ばざるを得ず、小さな自動車を駐車した場合の余剰スペースの有効活用が難しかった。
【００１０】
このことに対し、駐車する自動車の大きさに応じて収納庫を変更することが考えられるが、賃貸駐車場の場合、契約した自動車が変わる度に収納庫を変更することは、設置費用を考えると現実的ではない。
【００１１】
本発明は、かかる点に鑑みてなされたものであり、その目的とするところは、駐車場用収納庫を駐車場の奥側の地上に設置する場合に、自動車の大きさの変化に対応できるようにして駐車場の余剰スペースを有効活用できるようにすることにある。
【課題を解決するための手段】
【００１２】
上記目的を達成するために、第１の発明は、駐車場の奥側の地上に設置される駐車場用収納庫において、底板と、前記底板の奥側に配設される背板と、前記底板の左右両側に配設される左側板及び右側板と、前記左側板の上部から前記右側板の上部に亘って配設される上カバーとを備え、前記底板、前記背板及び前記上カバーは、左右方向に伸縮可能に構成されていることを特徴とする。
【００１３】
この構成によれば、例えば軽自動車のように全長が短い自動車を駐車する場合には、収納庫の内部空間全体を物品の収納空間として利用することが可能になる。一方、例えば普通車で全長が長い自動車を駐車する場合には、左側板と右側板との間隔が自動車の後部の幅よりも広くなるように、底板、背板及び上カバーを伸長させることで、自動車の後側オーバーハング部を収納庫の内部に収容することが可能になる。収納庫の内部空間における自動車の後側オーバーハング部が収容される部分以外は、物品の収納空間として利用することができる。左側板と右側板との間隔は、自動車の後部の幅は変われば、それに合わせて変えることができるので、様々な車種に対応することができる。
【００１４】
第２の発明は、前記左側板、前記右側板及び前記背板は、上下方向に伸縮可能に構成されていることを特徴とする。
【００１５】
この構成によれば、例えばセダン型の自動車の場合、トランク部分を収納庫の内部に収容可能となるように、左側板、右側板及び背板を伸縮させて各々の上下方向の寸法を設定することが可能になる。また、例えばハッチバックやワゴン型の自動車の場合、セダン型に比べて後部の高さが高くなるので、後部を収容可能となるように左側板、右側板及び背板を伸長させればよい。従って、高さが異なる複数種の自動車を駐車することができるようになる。
【００１６】
第３の発明は、前記左側板及び前記右側板は、それぞれ、前記底板に固定される下側板材と、該下側板材に対して上下方向にスライド可能に連結された上側板材とを備え、前記上側板材における手前側には、前記左側板と前記右側板との間を開閉するシャッターが設けられていることを特徴とする。
【００１７】
この構成によれば、上側板材を下側板材に対して上下方向にスライドさせることにより、左側板及び右側板の上下方向の寸法を変えることができる。この場合、上側板材にシャッターを設けているので、上側板材を上下方向へ移動させると、シャッターも同時に上下方向へ移動させることができ、左側板と右側板との間を開閉することができる。
【００１８】
第４の発明は、前記左側板の前記上側板材から前記右側板の前記上側板材まで延び、前記左側板の前記上側板材と前記右側板の前記上側板材とを連結する連結部材を備えていることを特徴とする。
【００１９】
この構成によれば、連結部材を持って上下方向に力を加えることにより、左側板の上側板材と右側板の上側板材とを上下方向に同じように移動させることができ、左側板及び右側板の上下方向の寸法を容易に変えることができる。
【００２０】
第５の発明は、前記連結部材は水平方向に延びており、前記連結部材には棚板が支持されることを特徴とする。
【００２１】
この構成によれば、連結部材を利用して棚板を所定高さに支持することができる。
【発明の効果】
【００２２】
本発明によれば、全長が短い自動車の場合には収納庫の内部空間全体を物品の収納空間として利用することが可能になるので、駐車場の余剰スペースを有効活用することができる。また、全長が長い自動車を駐車する場合には、左側板及び右側板の間隔を変えることによって自動車の後側オーバーハング部を収納庫の内部に収容することができるので、全長が長い自動車も駐車することができる。
【図面の簡単な説明】
【００２３】
【図１】本発明の実施形態に係る駐車場用収納庫の斜視図である。
【図２】底板スライダの構造を示す図である。
【図３】側板スライダの構造を示す図である。
【図４】高くした状態を示す図１相当図である。
【図５】幅を広くした状態を示す図１相当図である。
【図６】低くした状態の使用例を示す側面図である。
【図７】高くした状態の使用例を示す側面図である。
【図８】幅を狭くした状態の使用例を示す正面図である。
【図９】幅を広くした状態の使用例を示す正面図である。
【発明を実施するための形態】
【００２４】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２５】
図１は、本発明の実施形態に係る駐車場用収納庫１を示しており、駐車場用収納庫１をその手前側から見た斜視図である。この駐車場用収納庫１は、例えば、図６や図７等に示すように、自動車１００を駐車するための平面駐車場Ｐの地面Ｇに設置されるものである。駐車場Ｐの奥側の地面Ｇには、車輪止めＡが設置されており、この車輪止めＡよりも奥側に駐車場用収納庫１が設置される。駐車場Ｐには、自動車１００の後部が駐車場Ｐの奥側に位置するように駐車されるようになっている。尚、駐車場Ｐには、自動車１００の前部が駐車場Ｐの奥側に位置するように駐車されてもよい。
【００２６】
図１に示すように、駐車場用収納庫１の手前、奥、左、右を定義するが、これは説明の便宜を図るためであり、駐車場用収納庫１の使用状態を限定するものではない。駐車場用収納庫１の手前側は駐車場Ｐの手前側、即ち自動車１００の入口側であり、駐車場用収納庫１の奥側は駐車場Ｐの奥側である。駐車場用収納庫１の左側は、駐車場用収納庫１を手前側から見た時に左となる側である。駐車場用収納庫１の右側は、駐車場用収納庫１を手前側から見た時に右となる側である。
【００２７】
駐車場用収納庫１は、底部に設けられるコンクリートベースＢを備えている。コンクリートベースＢは、駐車場用収納庫１の基礎となる部分であり、駐車場Ｐの地面Ｇに埋め込まれている。コンクリートベースＢは、例えば複数設けることができ、この場合、コンクリートベースＢを左右方向に互いに間隔をあけて配置することができる。
【００２８】
駐車場用収納庫１は、底板２と、背板３と、左側板４と、右側板５と、上カバー６と、シャッター７とを備えている。底板２は、駐車場用収納庫１の底を構成する部材であり、コンクリートベースＢに取り付けられている。背板３は、底板２の奥側に配設される部材である。左側板４及び右側板５は、それぞれ底板２の左側及び右側に配設される部材である。上カバー６は左側板４の上部から右側板５の上部に亘って配設される部材である。シャッター７は左側板４と右側板５との間を開閉するための部材である。
【００２９】
（底板２の構成）
底板２は、底部左側板材２０と底部右側板材２１と底板スライダ２３とを備えている。底部左側板材２０は、底板２の左側を構成する部材であり、略水平方向に延びている。底部右側板材２１は、底板２の右側を構成する部材であり、略水平方向に延びている。底部右側板材２１の左側部分は、底部左側板材２０に収容されており、底部右側板材２１は十分な長さを有している。
【００３０】
底部右側板材２１の左側部分を底部左側板材２０から引き出すこと及び底部右側板材２１の左側部分を底部左側板材２０に更に差し込むことが可能になっている。底部右側板材２１の左側部分を底部左側板材２０から引き出すことにより、底板２が伸長して底板２の左右方向の寸法が長くなる。一方、底部右側板材２１の左側部分を底部左側板材２０に更に差し込むことにより、底板２が縮んで底板２の左右方向の寸法が短くなる。つまり、底板２は左右方向に伸縮可能に構成されている。
【００３１】
具体的には、図２に示す底板スライダ２３によって底板２の伸縮が実現される。底板スライダ２３は、上側ラック２３ａと、下側ラック２３ｂと、ピニオン２３ｃとを備えたラックアンドピニオン機構で構成されている。上側ラック２３ａの歯面は下に向き、下側ラック２３ｂの歯面は上側ラック２３ａの歯面と対向するように上を向いている。上側ラック２３ａ及び下側ラック２３ｂはそれぞれ歯が左右方向に連続するように配置されている。上側ラック２３ａ及び下側ラック２３ｂの一方が底部左側板材２０に固定され、他方が底部右側板材２１に固定されている。また、ピニオン２３ｃは奥行き方向に延びる支軸２３ｄによって回転可能に支持され、この状態で、上側ラック２３ａ及び下側ラック２３ｂの両方の歯に噛み合うように配置されている。支軸２３ｄは、コンクリートベースＢに取り付けられており、左右方向には移動しないようになっている。例えば底部左側板材２０を左右方向に移動させると、その移動方向に応じて上側ラック２３ａ及び下側ラック２３ｂの間でピニオン２３ｃが回転する。
【００３２】
図１に示すように、底部左側板材２０及び底部右側板材２１には、固定ピン２００を差し込むための複数のピン孔２０ａ、２１ａがそれぞれ形成されている。ピン孔２０ａ、２１ａはそれぞれ左右方向に並んでいる。底部右側板材２１の左側部分が底部左側板材２０に収容されているので、底部左側板材２０のピン孔２０ａと、底部右側板材２１のピン孔２１ａとを一致させることが可能になる。底部左側板材２０及び底部右側板材２１を左右方向に移動させて底板２の左右方向の寸法が所望の長さになったとき、ピン孔２０ａ、２１ａを一致させて固定ピン２００をピン孔２０ａ、２１ａに差し込むことで、底部左側板材２０及び底部右側板材２１の相対的な移動を防止することができる。
【００３３】
（背板３の構成）
背板３は、主に該背板３の下側部分を構成する下側背板部３０と、主に該背板３の上側部分を構成する上側背板部３１とを備えている。さらに、下側背板部３０は、下部左側板材３２と、下部右側板材３３と、背板下側スライダ３４とを備え、上側背板部３１は、上部左側板材３５と、上部右側板材３６と、背板上側スライダ３７とを備えている。
【００３４】
下部左側板材３２は、下側背板部３０の左側を構成する部材であり、上下方向に延びている。下部左側板材３２の左端部には、取付板材３２ａが固定されている。この取付板材３２ａは、左側板４の左側板本体４０に固定されている。下部右側板材３３は、下側背板部３０の右側を構成する部材であり、上下方向に延びている。下部右側板材３３の右端部には、図示しないが下部左側板材３２と同様な取付板材が固定されている。下部右側板材３３の取付板材は、右側板５の右側板本体５０に固定されている。下部右側板材３３は、下部左側板材３２の手間側に重なるように配置されており、図示するように左右方向に十分な長さを有している。
【００３５】
背板下側スライダ３４は、例えば、底板スライダ２３と同様に構成することができる。この場合、背板下側スライダ３４を構成する一方のラックを下部左側板材３２に固定し、他方のラックを下部右側板材３３に固定し、ピニオンを上下方向に支軸によって回転可能に支持し、その支軸をコンクリートベースＢに取り付けておく。例えば下部左側板材３２を左右方向に移動させると、その移動方向に応じて両ラックの間でピニオンが回転する。
【００３６】
上部左側板材３５は、上側背板部３１の左側を構成する部材であり、上下方向に延びている。上部左側板材３６の左端部は、左側板４の内側板材４１に固定されている。上部右側板材３６は、上側背板部３１の右側を構成する部材であり、上下方向に延びている。上部右側板材３６の右端部は、右側板５の内側板材５１に固定されている。上部右側板材３６は、上部左側板材３５の手間側に重なるように配置されており、左右方向に十分な長さを有している。さらに、上部左側板材３５及び上部右側板材３６は、下部左側板材３２の奥側に重なるように配置されている。上部左側板材３５及び上部右側板材３６の上下方向の寸法は、下部左側板材３２及び下部右側板材３３の上下方向の寸法よりも十分に長く設定されている。背板上側スライダ３７は、背板下側スライダ３４と同様に構成することができる。背板上側スライダ３７及び背板下側スライダ３４を設けているので、背板３の左右方向の寸法を変更することができ、よって、背板３は左右方向に伸縮可能に構成されることになる。また、上部左側板材３５及び上部右側板材３６が、下部左側板材３２の奥側に重なるように配置されていることから、上部左側板材３５及び上部右側板材３６を上下方向に移動させることにより、背板３の上下方向の寸法を変更することができ、よって、背板３は上下方向に伸縮可能に構成される。
【００３７】
（左側板４及び右側板５の構成）
左側板４は、左側板本体（下側板材）４０と、内側板材（上側板材）４１と、左スライダ４２とを備えている。左側板本体４０は、底部左側板材２０の左端部に固定され、この左端部から上方へ延びている。内側板材４１は、左側板本体４０の内側に重なるように配置されて奥行き方向に延びており、左スライダ４２を介して左側板本体４０に取り付けられている。従って、内側板材４１は、左側板本体４０に対して上下方向にスライド可能に連結されることになる。
【００３８】
左スライダ４２は、図３に示すように周知のスライダで構成することができ、アウターメンバー４２ａと、インナーメンバー４２ｂと、ボール４２ｃと、ボールリテーナー４２ｄとを備えている。アウターメンバー４２ａとインナーメンバー４２ｂとの間に、ボール４２ｃが配置されてボールリテーナー４２ｄによって転動可能に保持されている。アウターメンバー４２ａとインナーメンバー４２ｂは長手方向に相対移動可能となっている。アウターメンバー４２ａ及びインナーメンバー４２ｂを上下方向に延びるように配置し、一方を左側板本体４０に固定し、他方を内側板材４１に固定することで、内側板材４１が左側板本体４０に対して上下方向に移動可能になる。内側板材４１を上方へ移動させると、左側板４の上下方向の寸法が長くなり、下方へ移動させると、左側板４の上下方向の寸法が短くなる。つまり、左側板４は上下方向に伸縮可能に構成されている。
【００３９】
図１に示すように、内側板材４１には、固定ピン２０１を差し込むための複数のピン孔４１ａが上下方向に並ぶように形成されている。このピン孔４１ａに対応するように、左側板本体４０にもピン孔（図示せず）が形成されており、内側板材４１を上下方向に移動させて内側板材４１のピン孔４１ａと、左側板本体４０のピン孔とを一致させると、固定ピン２０１を両ピン孔４１ａに差し込むことができるようになっている。これにより、内側板材４１を所望位置で固定しておくことができる。
【００４０】
右側板５は左側板４と同様に構成されており、右側板本体５０と、内側板材５１と、右スライダ５２とを備えている。右側板本体５０の外面には取っ手５３が設けられている。図示しないが、左側板本体４０にも同様な取っ手を設けることができる。取っ手５３を持って左右方向に力を加えることによって伸縮させることができる。
【００４１】
（上カバー６の構成）
上カバー６は、駐車場用収納庫１の屋根となる部材であり、左側カバー部材６０と右側カバー部材６１とを備えている。左側カバー部材６０は、上カバー６の左側を構成する部材であり、左側板４の上部から右側へ延びている。右側カバー部材６１は、上カバー６の右側を構成する部材であり、右側板５の上部から左側へ延びている。右側カバー部材６１の左側部分は、左側カバー部材６０に収容されており、右側カバー部材６１は十分な長さを有している。
【００４２】
右側カバー部材６１の左側部分を左側カバー部材６０から引き出すこと及び右側カバー部材６１の左側部分を左側カバー部材６０に更に差し込むことが可能になっている。右側カバー部材６１の左側部分を左側カバー部材６０から引き出すことにより、底板２が伸長して上カバー６の左右方向の寸法が長くなる。一方、右側カバー部材６１の左側部分を左側カバー部材６０に更に差し込むことにより、上カバー６が縮んで底板２の左右方向の寸法が短くなる。つまり、上カバー６は左右方向に伸縮可能に構成されている。
【００４３】
（シャッター７の構成）
左側板４の内側板材４１の上部かつ手前側には、左側板４と右側板５との間を開閉するシャッター７が設けられている。駐車場用収納庫１は、図示しないがシャッター７を巻き取る巻き取り軸を備えている。この巻き取り軸は左右方向に延びており、左端部が左側板４の内側板材４１の上部かつ手前側に取り付けられ、右端部が右側板５の内側板材５１の上部かつ手前側に取り付けられている。従って、左側板４の内側板材４１と、右側板５の内側板材５１とは、巻き取り軸によって連結されることになる。巻き取り軸に巻き取られたシャッター７を下に引っ張ることで、左側板４と右側板５との間に展開させることができ、これにより、左側板４と右側板５との間が閉塞される。閉塞状態にあるシャッター７を上記巻き取り軸に巻き取ることで左側板４と右側板５との間を開放することができる。
【００４４】
シャッター７の長さは、左側板４及び右側板５の上下方向の寸法に対応するように予め設定しておけばよい。また、シャッター７の幅は、左側板４及び右側板５の間隔に対応するように予め設定しておけばよい。
【００４５】
（連結部材８の構成）
駐車場用収納庫１は、連結部材８を備えている。連結部材８は、左側板４の内側板材４１から右側板５の内側板材５１まで延び、左側板４の内側板材４１と右側板５の内側板材５１とを連結するための部材であり、水平に延びている。連結部材８は、手前側に配設されている。連結部材８には棚板９が支持されるようになっている。棚板９は省略してもよい。連結部材８を持って内側板材４１、５１を上方向に移動させることができる。
【００４６】
（その他の構成）
底板２、背板３及び上カバー６は、幅の異なる複数種を用意しておき、駐車場Ｐに応じて適した幅のものを選択して組み立てるようにしてもよい。また、左側板４、右側板５及び背板３は、上下方向の寸法が異なる複数種を用意しておき、駐車場Ｐに応じて適した幅のものを選択して組み立てるようにしてもよい。さらに、連結部材８やシャッター７についても左右方向の寸法が異なる複数種を用意しておき、駐車場Ｐに応じて適した幅のものを選択して組み立てるようにしてもよい。
【００４７】
底板スライダ２３、背板下側スライダ３４、背板上側スライダ３７、左スライダ４２及び右スライダ５２は、上述した構成のものでなくてもよく、部材をスライドさせる際に使用されるスライドレール等であってもよい。
【００４８】
（実施形態の作用効果）
駐車場用収納庫１が左スライダ４２及び右スライダ５２を備えているので、左側板４及び右側板５の内側板材４１、５１を上下方向に移動させることにより、左側板４及び右側板５の上下方向の寸法を変更することができる。このとき、上側背板部３１が内側板材４１、５１と一体に上下方向に移動する。また、上カバー６やシャッター７、連結部材８も同様に移動する。
【００４９】
従って、例えば図６に示すように、駐車場Ｐにセダン型の自動車１００を後から駐車する場合には、後側オーバーハング部の高さに対応するように、左側板４及び右側板５の内側板材４１、５１を上下方向に移動させて、後側オーバーハング部を左側板４及び右側板５の間に収容可能にすることができる。駐車場用収納庫１の内部空間における自動車１００の後側オーバーハング部が収容される部分以外は、物品の収納空間として利用することができる。左側板４と右側板５との上下方向の寸法は、自動車１００の後部の高さが変われば、それに合わせて変えることができるので、様々な車種に対応することができる。
【００５０】
一方、図７に示すように、駐車場Ｐにワゴン型の自動車１００を後から駐車する場合には、セダン型よりも高いので、左側板４及び右側板５の内側板材４１、５１を上方へ移動させて上カバー６やシャッター７、連結部材８を高い所に配置する。これにより、ワゴン型の自動車１００の後部（後側オーバーハング部）を左側板４及び右側板５の間に収容可能にすることができる。
【００５１】
また、駐車場用収納庫１が底板スライダ２３、背板下側スライダ３４、背板上側スライダ３７を備えているので、左側板４及び右側板５の間隔を変更することができる。従って、例えば図８に示すように、駐車場Ｐに幅の狭い自動車１００を駐車する場合には、左側板４及び右側板５の間隔が狭くなるように、底板２、背板３及び上カバー６の左右方向の長さを設定する。一方、図９に示すように、駐車場Ｐに幅の広い自動車１００を駐車する場合には、左側板４及び右側板５の間隔が広くなるように、底板２、背板３及び上カバー６の左右方向の長さを設定する。左側板４と右側板５との間隔は、自動車１００の後部の幅が変われば、それに合わせて変えることができるので、様々な車種に対応することができる。
【００５２】
また、この実施形態に係る駐車場用収納庫１によれば、全長が短い自動車１００の場合には駐車場用収納庫１の内部空間全体を物品の収納空間として利用することが可能になるので、駐車場Ｐの余剰スペースを有効活用することができる。また、全長が長い自動車１００を駐車する場合には、左側板４及び右側板５の間隔や上下方向の寸法を変えることによって自動車の後側オーバーハング部を駐車場用収納庫１の内部に収容することができるので、全長が長い自動車１００も駐車することができる。
【００５３】
上述の実施形態はあらゆる点で単なる例示に過ぎず、限定的に解釈してはならない。さらに、特許請求の範囲の均等範囲に属する変形や変更は、全て本発明の範囲内のものである。
【００５４】
また、駐車場用収納庫１には、例えば車載バッテリを充電する充電設備を設けることができる。車載バッテリは、電気自動車やプラグインハイブリッド自動車の走行用バッテリ等である。これにより、駐車場Ｐに駐車している間に走行用バッテリを充電することができる。
【００５５】
また、駐車場用収納庫１は、駐車場の敷地の境界に設置することもできる。例えば駐車場用収納庫１の背板３を敷地の境界に合わせて設置することで、駐車場用収納庫１を壁の一部として使用することができる。
【００５６】
また、駐車場用収納庫１は、奥行を８０ｃｍ〜１ｍ程度にすることができる。駐車場用収納庫１には、防災用品を収容することもでき、この場合、駐車場用収納庫１は防災用品庫として使用することができる。
【産業上の利用可能性】
【００５７】
以上説明したように、本発明に係る駐車場用収納庫は、例えば、平面駐車場に設置することができる。
【符号の説明】
【００５８】
１                駐車場用収納庫
２                底板
３                背板
４                左側板
５                右側板
６                上カバー
７                シャッター
８                連結部材
９                棚板
４０                左側板本体（下側板材）
４１                内側板材（上側板材）
５０                右側板本体（下側板材）
５１                内側板材（上側板材）
【図１】
2020066969.tif 000003
【図２】
2020066969.tif 000004
【図３】
2020066969.tif 000005
【図４】
2020066969.tif 000006
【図５】
2020066969.tif 000007
【図６】
2020066969.tif 000008
【図７】
2020066969.tif 000009
【図８】
2020066969.tif 000010
【図９】
2020066969.tif 000011